(57)【要約】【課題】観察者が知覚する空間周波数によって見え方が異なる動的な映像を提供する。【解決手段】互いに異なる第１領域と第２領域とを含む映像が生成される。第１領域では、第１空間周波数帯域に属する第１の動的な映像成分と、第１空間周波数帯域と異なる空間周波数帯域に属する第１の静的な映像成分とが重畳されている。第２領域では、第１空間周波数帯域と異なる第２空間周波数帯域に属する第２の動的な映像成分と、第２空間周波数帯域と異なる空間周波数帯域に属する第２の静的な映像成分とが重畳されている。【選択図】図１
2018190233.tif 000002
【特許請求の範囲】
【請求項１】
観察の仕方によって見え方が異なる映像を生成する映像生成装置であって、
互いに異なる第１領域と第２領域とを含む映像を生成する映像生成部を有し、
前記第１領域では、第１空間周波数帯域に属する第１の動的な映像成分と、前記第１空間周波数帯域と異なる空間周波数帯域に属する第１の静的な映像成分とが重畳されており、
前記第２領域では、前記第１空間周波数帯域と異なる第２空間周波数帯域に属する第２の動的な映像成分と、前記第２空間周波数帯域と異なる空間周波数帯域に属する第２の静的な映像成分とが重畳されている、映像生成装置。
【請求項２】
請求項１の映像生成装置であって、
前記第１空間周波数帯域は、高空間周波数帯域であり、
前記第１空間周波数帯域と異なる空間周波数帯域は、前記高空間周波数帯域と異なる低空間周波数帯域であり、
前記第２空間周波数帯域は、前記低空間周波数帯域であり、
前記第２空間周波数帯域と異なる空間周波数帯域は、前記高空間周波数帯域である、映像生成装置。
【請求項３】
請求項２の映像生成装置であって、
前記映像から観察者までの距離の範囲を表す情報を入力とし、前記距離の範囲に応じた閾値を設定する閾値設定部を有し、
前記高空間周波数帯域は、絶対値が前記閾値以上または前記閾値を超える空間周波数からなり、
前記低空間周波数帯域は、絶対値が前記閾値未満もしくは前記閾値の近傍未満、または絶対値が前記閾値以下もしくは前記閾値の近傍以下の空間周波数からなる、映像生成装置。
【請求項４】
請求項３の映像生成装置であって、
前記映像から前記観察者までの距離の最大値が第１値であるときの前記閾値は、前記映像から前記観察者までの距離の最大値が第２値であるときの前記閾値よりも大きく、
前記第１値が前記第２値よりも小さい、映像生成装置。
【請求項５】
請求項２の映像生成装置であって、
観察者の視力を表す指標を入力とし、前記視力に応じた閾値を設定する閾値設定部を有し、
前記高空間周波数帯域は、絶対値が前記閾値以上または前記閾値を超える空間周波数からなり、
前記低空間周波数帯域は、絶対値が前記閾値未満もしくは前記閾値の近傍未満、または絶対値が前記閾値以下もしくは前記閾値の近傍以下の空間周波数からなる、映像生成装置。
【請求項６】
請求項５の映像生成装置であって、
前記視力を表す指標が第１値であるときの前記閾値は、前記視力を表す指標が第２値であるときの前記閾値よりも小さく、
前記指標が前記第１値であるときの前記視力は、前記指標が前記第２値であるときの前記視力よりも悪い、映像生成装置。
【請求項７】
請求項２の映像生成装置であって、
前記映像と観察者との間に介在する媒質の光の拡散度合を表す指標を入力とし、前記拡散度合に応じた閾値を設定する閾値設定部を有し、
前記高空間周波数帯域は、絶対値が前記閾値以上または前記閾値を超える空間周波数からなり、
前記低空間周波数帯域は、絶対値が前記閾値未満もしくは前記閾値の近傍未満、または絶対値が前記閾値以下もしくは前記閾値の近傍以下の空間周波数からなる、映像生成装置。
【請求項８】
請求項７の映像生成装置であって、
前記光の拡散度合を表す指標が第１値であるときの前記閾値は、前記光の拡散度合を表す指標が第２値であるときの前記閾値よりも小さく、
前記指標が第１値であるときの前記光の拡散度合は、前記指標が第２値であるときの前記光の拡散度合よりも大きい、映像生成装置。
【請求項９】
請求項１から８の何れかの映像生成装置であって、
（１）前記第１の動的な映像成分の動き方と前記第２の動的な映像成分の動き方とが同一であるか近似し、かつ、
（２−１）前記第１の静的な映像成分と前記第２の静的な映像成分とが静止成分であるか、または、（２−２）前記第１の静的な映像成分は前記第１の動的な映像成分よりも動きの小さな成分であり、前記第２の静的な映像成分は前記第２の動的な映像成分よりも動きの小さな成分であり、前記第１の静的な映像成分の動き方と前記第２の静的な映像成分の動き方とが同一であるか近似する、映像生成装置。
【請求項１０】
請求項１から９の何れかの映像生成装置であって、
前記第１の動的な映像成分および前記第２の動的な映像成分の動きは周期的な振動である、映像生成装置。
【請求項１１】
請求項１から１０の何れかの映像生成装置であって、
前記映像生成部は、
前記第１領域で前記第１の動的な映像成分と前記第１の静的な映像成分とを重畳した第１映像成分を得る第１重畳部と、
前記第２領域で前記第２の動的な映像成分と前記第２の静的な映像成分とを重畳した第２映像成分を得る第２重畳部と、
少なくとも前記第１映像成分と前記第２映像成分とを重畳して前記映像を得る統合部とを含む、映像生成装置。
【請求項１２】
観察の仕方によって見え方が異なる映像を提示する映像提示装置であって、
互いに異なる第１領域と第２領域とを含む映像を提示する映像提示部を有し、
前記第１領域では、第１空間周波数帯域に属する第１の動的な映像成分と、前記第１空間周波数帯域と異なる空間周波数帯域に属する第１の静的な映像成分とが重畳されており、
前記第２領域では、前記第１空間周波数帯域と異なる第２空間周波数帯域に属する第２の動的な映像成分と、前記第２空間周波数帯域と異なる空間周波数帯域に属する第２の静的な映像成分とが重畳されている、映像提示装置。
【請求項１３】
観察の仕方によって見え方が異なる映像を提示する映像提示システムであって、
第１空間周波数帯域に属する第１映像成分と、前記第１空間周波数帯域と異なる第２空間周波数帯域に属する第２映像成分と、が重畳された領域を含む映像を提示する映像提示装置と、
前記映像と観察者との間に介在させることが可能な媒質であり、光を拡散する性質を持つ拡散部材と、を有し、
前記観察者が前記拡散部材を通して前記映像を見たときに前記観察者が知覚する見え方は、前記観察者が直接前記映像を見たときに前記観察者が知覚する見え方と異なる、映像提示システム。
【請求項１４】
観察の仕方によって見え方が異なる映像を生成する映像生成方法であって、
互いに異なる第１領域と第２領域とを含む映像を生成する映像生成ステップを有し、
前記第１領域では、第１空間周波数帯域に属する第１の動的な映像成分と、前記第１空間周波数帯域と異なる空間周波数帯域に属する第１の静的な映像成分とが重畳されており、
前記第２領域では、前記第１空間周波数帯域と異なる第２空間周波数帯域に属する第２の動的な映像成分と、前記第２空間周波数帯域と異なる空間周波数帯域に属する第２の静的な映像成分とが重畳されている、映像生成方法。
【請求項１５】
観察の仕方によって見え方が異なる映像を提示する映像提示方法であって、
互いに異なる第１領域と第２領域とを含む映像を提示する映像提示ステップを有し、
前記第１領域では、第１空間周波数帯域に属する第１の動的な映像成分と、前記第１空間周波数帯域と異なる空間周波数帯域に属する第１の静的な映像成分とが重畳されており、
前記第２領域では、前記第１空間周波数帯域と異なる第２空間周波数帯域に属する第２の動的な映像成分と、前記第２空間周波数帯域と異なる空間周波数帯域に属する第２の静的な映像成分とが重畳されている、映像提示方法。
【請求項１６】
観察の仕方によって見え方が異なる映像のデータ構造であって、
互いに異なる第１領域と第２領域とを含む前記映像を含み、
前記第１領域では、第１空間周波数帯域に属する第１の動的な映像成分と、前記第１空間周波数帯域と異なる空間周波数帯域に属する第１の静的な映像成分とが重畳されており、
前記第２領域では、前記第１空間周波数帯域と異なる第２空間周波数帯域に属する第２の動的な映像成分と、前記第２空間周波数帯域と異なる空間周波数帯域に属する第２の静的な映像成分とが重畳されており、
映像提示装置が前記映像を提示するためのデータ構造。
【請求項１７】
請求項１から１１の何れかの映像生成装置、または請求項１２の映像提示装置としてコンピュータを機能させるためのプログラム。
【発明の詳細な説明】
【技術分野】
【０００１】
本発明は、観察の仕方によって見え方が異なる動的な映像に関する。
【背景技術】
【０００２】
明確な運動方向を持つ低空間周波数画像情報に、あいまいな運動方向をもつ高空間周波数画像情報を重畳すると、高空間周波数の動きの見え方が、低空間周波数の動きの見え方に引きずられることが知られている（例えば、非特許文献１等参照）。一方で、止まった画像において高空間周波数の位相成分と低空間周波数の位相成分にずれがある場合、低空間周波数成分の位相の見え方が、高空間周波数成分の位相の見え方に引きずられて知覚されることが知られている（例えば、非特許文献２等参照）。また、異なる画像から得られた高空間周波数成分と低空間周波数成分が重畳された場合、観察距離が短い場合は高空間周波数成分の見え方が強く、観察距離が長い場合には低空間周波数成分の見え方が強いことが知られている（例えば、非特許文献３等参照）。
【先行技術文献】
【非特許文献】
【０００３】
【非特許文献１】Ramachandran, V. S. & Cavanagh, P., “Motion capture anisotropy,” Vision Research 27, 97-106 (1987).
【非特許文献２】Morrone, M. C. & Burr, D. C., “Feature Detection in Human Vision: A Phase-Dependent Energy Model,” Proceedings of the Royal Society of London. Series B. Biological Sciences 235, 221-245 (1988).
【非特許文献３】Oliva, A., Torralba, A. & Schyns, P. G., “Hybrid Images,” in ACM SIGGRAPH 2006 Papers 527-532 (ACM, 2006). doi:10.1145/1179352.1141919
【発明の概要】
【発明が解決しようとする課題】
【０００４】
しかし、観察者が知覚する空間周波数によって見え方が異なる動的な映像は知られていない。このような映像を得るためには、画像運動の空間周波数情報をうまく操作する必要があるが、その操作の方法についても知られていない。
【０００５】
本発明はこのような点に鑑みてなされたものであり、観察者が知覚する空間周波数によって見え方が異なる動的な映像を提供することを目的とする。
【課題を解決するための手段】
【０００６】
互いに異なる第１領域と第２領域とを含む映像を生成する。第１領域では、第１空間周波数帯域に属する第１の動的な映像成分と、第１空間周波数帯域と異なる空間周波数帯域に属する第１の静的な映像成分とが重畳されている。第２領域では、第１空間周波数帯域と異なる第２空間周波数帯域に属する第２の動的な映像成分と、第２空間周波数帯域と異なる空間周波数帯域に属する第２の静的な映像成分とが重畳されている。
【発明の効果】
【０００７】
これにより、観察者が知覚する空間周波数によって見え方が異なる動的な映像が得られる。
【図面の簡単な説明】
【０００８】
【図１】図１は実施形態の映像生成装置の機能構成を例示したブロック図である。
【図２】図２は実施形態の映像生成方法を説明するための概念図である。
【図３】図３は実施形態の映像生成方法を説明するための概念図である。
【図４】図４Ａおよび図４Ｂは観察者による映像の観察の仕方を例示するための概念図である。
【図５】図５Ａおよび図５Ｂは観察者による映像の観察の仕方を例示するための概念図である。
【図６】図６は実施形態の映像提示システムの構成を例示したブロック図である。
【発明を実施するための形態】
【０００９】
以下、本発明の実施形態を説明する。
［概要］
まず概要を説明する。第１から６実施形態およびそれらの変形例では、互いに異なる「第１領域」と「第２領域」とを含む「映像」を生成する。「第１領域」および「第２領域」は空間領域の領域である。第１から５実施形態およびそれらの変形例の「映像」は動的な情報を含む動画である。「映像」は「第１領域」および「第２領域」以外の領域を含んでいてもよいし、含んでいなくてもよい。「第１領域」では、「第１空間周波数帯域」に属する「第１の動的な映像成分」と、「第１空間周波数帯域」と異なる空間周波数帯域に属する「第１の静的な映像成分」とが重畳されている。「第２領域」では、「第１空間周波数帯域」と異なる「第２空間周波数帯域」に属する「第２の動的な映像成分」と、「第２空間周波数帯域」と異なる空間周波数帯域に属する「第２の静的な映像成分」とが重畳されている。この動的な「映像」を見た観察者は、知覚する空間周波数によって異なる動きの印象を受ける。一般、観察者と「映像」との距離が近いほど、観察者が知覚する空間周波数の幅は広い。すなわち、観察者が近くの「映像」を観察する場合に知覚する空間周波数の絶対値の最大値は、遠くの「映像」を観察する場合に知覚する空間周波数の絶対値の最大値よりも高い。そのため、「映像」の観察者は「映像」からの距離に応じて異なる動きの印象を受ける。また観察者の視力がよいほど、観察者が知覚する空間周波数の幅は広い。すなわち、観察者の視力がよいほど、観察者が「映像」を観察する場合に知覚する空間周波数の絶対値の最大値が大きい。そのため「映像」の観察者の視力によって、観察者が「映像」から受ける動きの印象が異なる。なお、観察距離が大きくなっても、細かい画像情報を解像できる（識別できる）能力を「視力」と呼び、この「視力」がよい（高い）ほど、観察距離が大きいときにより幅広い範囲の空間周波数帯域を知覚できる。さらに「映像」と観察者との間に介在する媒質の光の拡散度合が大きいほど、観察者が知覚する空間周波数の幅は狭い。すなわち、この媒質の光の拡散度合が大きいほど、観察者が知覚する空間周波数の絶対値の最大値が小さくなる。そのため、「映像」と観察者との間に介在する媒質の光の拡散度合に応じ、観察者が「映像」から受ける動きの印象が異なる。なお「媒質」はすりガラスなどの固体であってもよいし、液体であってもよいし、気体であってもよい。
【００１０】
「第１の動的な映像成分」および「第２の動的な映像成分」は動きを持つ映像成分である。すなわち、「第１の動的な映像成分」は複数フレームの画像成分を含み、これらの画像成分は互いに異なる。同様に、「第２の動的な映像成分」は複数フレームの画像成分を含み、これらの画像成分は互いに異なる。「第１の静的な映像成分」および「第２の静的な映像成分」の例は動きを持たない静止成分である。例えば、「第１の静的な映像成分」は１フレームの画像成分からなり「第２の静的な映像成分」は１フレームの画像成分からなる。あるいは、「第１の静的な映像成分」および「第２の静的な映像成分」が完全に静止していなくてもよい。すなわち、「第１の静的な映像成分」が「第１の動的な映像成分」よりも動きの小さな成分であり、「第２の静的な映像成分」が「第２の動的な映像成分」よりも動きの小さな成分であってもよい。例えば、「第１の静的な映像成分」の画素の移動量の平均値が「第１の動的な映像成分」の画素の移動量の平均値よりも小さくてもよい。同様に、「第２の静的な映像成分」の画素の移動量の平均値が「第２の動的な映像成分」の画素の移動量の平均値よりも小さくてもよい。「第１の静的な映像成分」の画素の移動速度の平均値が「第１の動的な映像成分」の画素の移動速度の平均値よりも小さくてもよい。同様に、「第２の静的な映像成分」の画素の移動速度の平均値が「第２の動的な映像成分」の画素の移動速度の平均値よりも小さくてもよい。
【００１１】
「第１の動的な映像成分」および「第２の動的な映像成分」の動きは周期的な振動（往復運動）であることが望ましい。周期的な振動である場合、静的な映像成分と動的な映像成分とのずれが一定量以上大きくならない。また、観察者が「映像」から知覚する空間周波数の違い（観察者と「映像」との距離、観察者の視力、「映像」と観察者との間に介在する媒質の光の拡散度合などに基づく違い）に応じた、観察者が「映像」から受ける動きの印象の違いが顕著になる。
【００１２】
「第１の動的な映像成分」の動き方と「第２の動的な映像成分」の動き方とが同一であるか近似することが望ましい。例えば、各フレームにおいて「第１の動的な映像成分」と「第２の動的な映像成分」との間で各画素の移動速度が同一であるか近似し、かつ、移動方向が同一であるか近似することが望ましい。言い換えると、各フレームにおいて「第１の動的な映像成分」と「第２の動的な映像成分」との間で各画素の移動ベクトルが同一であるか近似することが望ましい。例えば、「第１の動的な映像成分」が表す模様に対する「第２の動的な映像成分」が表す模様の相対位置が変化しないか、相対位置の変化量が所定値以下であることが望ましい。なお、「α１とβ１との間で各画素の移動速度が近似する」とは、α１での各画素の移動速度とβ１での各画素の移動速度との違いがγ１以下であることを意味する。γ１は正値であり、γ１の例はγ１＝０．５α１、γ１＝０．３α１、γ１＝０．１α１、γ１＝０．０５α１などである。「α２とβ２との間で各画素の移動方向が近似する」とは、α２での各画素の移動方向とβ２での各画素の移動方向とでなす内角の大きさがγ２以下であることを意味する。γ２は正の角度であり、γ２の例はγ２＝１０°、γ２＝３°、γ２＝１°、γ２＝０．５°などである。「α３とβ３との間で各画素の移動ベクトルが近似する」とは、α３での各画素の移動ベクトルとβ３での各画素の移動ベクトルとの距離がγ３以下であることを意味する。γ３は正値であり、γ３の例はα３の大きさの５０％、３０％、１０％、５％などである。
【００１３】
同様に「第１の静的な映像成分」および「第２の静的な映像成分」が完全に静止していない場合、それらの動き方が互いに同一であるか近似することが望ましい。すなわち、（１）「第１の動的な映像成分」の動き方と「第２の動的な映像成分」の動き方とが同一であるか近似し、かつ、（２−１）「第１の静的な映像成分」と「第２の静的な映像成分」とが静止成分であるか、または、（２−２）「第１の静的な映像成分」は「第１の動的な映像成分」よりも動きの小さな成分であり、「第２の静的な映像成分」は「第２の動的な映像成分」よりも動きの小さな成分であり、「第１の静的な映像成分」の動き方と「第２の静的な映像成分」の動き方とが同一であるか近似することが望ましい。これにより、観察者が「映像」から知覚する空間周波数の違いに応じた、観察者が「映像」から受ける動きの印象の違いが顕著になる。
【００１４】
「第１空間周波数帯域」が「高空間周波数帯域」であり、「第１空間周波数帯域と異なる空間周波数帯域」が「高空間周波数帯域」と異なる「低空間周波数帯域」であり、「第２空間周波数帯域」が「低空間周波数帯域」であり、「第２空間周波数帯域と異なる空間周波数帯域」が「高空間周波数帯域」であってもよい。すなわち、「映像」が「高空間周波数帯域」に属する「第１の動的な映像成分」と、「低空間周波数帯域」に属する「第１の静的な映像成分」とが重畳されている「第１領域」と、「低空間周波数帯域」に属する「第２の動的な映像成分」と、「高空間周波数帯域」に属する「第２の静的な映像成分」とが重畳されている「第２領域」とを含んでもよい。ここで、観察者が当該「映像」の低い空間周波数から高い空間周波数までを広く知覚できる場合（例えば、観察者と「映像」との距離が近い場合、観察者の視力が良い場合、「映像」と観察者との間に介在する媒質の光の拡散度合が小さい場合）、観察者は「第２領域」の「低空間周波数帯域」に属する「第２の動的な映像成分」の動きと、「第１領域」の「高空間周波数帯域」に属する「第１の動的な映像成分」の動きとを十分に認識できる。その結果、「第２領域」の「高空間周波数帯域」に属する「第２の静的な映像成分」が浮き上がって見え、「第２領域」が静止しているか、ほぼ静止しているように見える。特に、「第１の動的な映像成分」の動き方と「第２の動的な映像成分」の動き方とが同一であるか近似する場合、「第２の動的な映像成分」の動きと「第１の動的な映像成分」の動きとが一体の動きに見え、この効果がより顕著になる。一方、観察者が当該「映像」の高い空間周波数を十分に知覚できない場合（例えば、観察者と「映像」との距離が遠い場合、観察者の視力が悪い場合、「映像」と観察者との間に介在する媒質の光の拡散度合が大きい場合）、観察者は「第２領域」の「低空間周波数帯域」に属する「第２の動的な映像成分」の動きを十分に認識できるものの、「第１領域」の「高空間周波数帯域」に属する「第１の動的な映像成分」の動きを十分に認識できない。その結果、「第２領域」の「低空間周波数帯域」のみが移動して見え、「第２領域」が動いて見える。このように、観察者が「映像」から知覚する空間周波数の幅に応じ、「第２領域」が静止（または、ほぼ静止）して見えたり、動いて見えたりする。このような効果は、「第１領域」と「第２領域」とが隣接するときに顕著である。そのため、「第１領域」と「第２領域」とは互いに隣接することが望ましい。同様な理由により、「第２領域」の少なくとも一部が「第１領域」に囲まれていることが望ましく、「第２領域」の全てが「第１領域」に囲まれていることがより望ましい。
【００１５】
「高空間周波数帯域」は、例えば、絶対値が「閾値（カットオフ周波数）」以上または「閾値」を超える空間周波数からなる。「低空間周波数帯域」は、例えば、絶対値が「閾値」未満もしくは「閾値」の近傍未満、または絶対値が「閾値」以下もしくは「閾値」の近傍以下の空間周波数からなる。
【００１６】
この場合、「映像」から観察者までの「距離の範囲」を表す情報を入力とし、「距離の範囲」に応じた「閾値」が設定されてもよい。例えば、「距離の範囲」が広い場合に「閾値」を小さくし、狭い場合に「閾値」を大きくしてもよい。例えば、「映像」から観察者までの距離の最大値が大きい場合に「閾値」を小さくし、距離の最大値が小さい場合に「閾値」を大きくしてもよい。例えば、「映像」から観察者までの距離の最大値が大きいほど「閾値」を小さくし、距離の最大値が小さいほど「閾値」を大きくしてもよい。すなわち、「映像」から観察者までの距離の最大値が「第１値」であるときの「閾値」が、「映像」から観察者までの距離の最大値が「第２値」であるときの「閾値」よりも大きく、「第１値」が「第２値」よりも小さいことが望ましい。これにより、「映像」から観察者までの距離の自由度が大きい場合（距離の最大値が大きい場合）に「第２領域」での「第２の動的な映像成分」に対する「第２の静的な映像成分」の割合を増やすことができる。その結果、「映像」が近くで観察された場合には「第２領域」が静止しているような印象を明確に与えることができ、「映像」から観察者までの距離を十分にとったときには、「第２領域」が動いているような印象を与えることができる。逆に、「映像」から観察者までの距離の自由度が小さい場合（距離の最大値が小さい場合）には、「映像」から観察者までの距離を大きく変化させることなく、「第２領域」が静止しているような印象を与えたり、動いているような印象を与えたりできる。
【００１７】
同様な理由により、「映像」と観察者との間に介在する媒質の「光の拡散度合」を表す情報を入力とし、拡散度合に応じた「閾値」を設定してもよい。例えば、媒質の「光の拡散度合」が大きい場合に「閾値」を小さく、「光の拡散度合」が小さい場合に「閾値」を大きくしてもよい。例えば、「光の拡散度合」が大きいほど「閾値」を小さくし、「光の拡散度合」が小さいほど「閾値」を大きくしてもよい。すなわち、「光の拡散度合」を表す指標が「第１値」であるときの閾値が、「光の拡散度合」を表す指標が「第２値」であるときの閾値よりも小さく、指標が「第１値」であるときの「光の拡散度合」は、指標が「第２値」であるときの「光の拡散度合」よりも大きくてもよい。
【００１８】
視力の悪い観察者が「映像」を観察した場合、「映像」から観察者の距離が近くても、「映像」が含む高空間周波数帯域の成分を知覚できない場合がある。そのため、観察者の視力を表す指標を入力とし、視力に応じた「閾値」が設定されてもよい。例えば、観察者の視力が悪い場合に「閾値」を小さくし、視力が良い場合に「閾値」を大きくしてもよい。すなわち、視力を表す指標が「第１値」であるときの閾値が、視力を表す指標が「第２値」であるときの閾値よりも小さく、指標が「第１値」であるときの視力が、指標が「第２値」であるときの視力よりも悪くてもよい。
【００１９】
「映像」を生成する「映像生成装置」は、例えば、「第１領域」で「第１の動的な映像成分」と「第１の静的な映像成分」とを重畳した「第１映像成分」を得、「第２領域」で「第２の動的な映像成分」と「第２の静的な映像成分」とを重畳した「第２映像成分」を得、少なくとも「第１映像成分」と「第２映像成分」とを重畳して「映像」を得る。「映像」は「映像提示装置」によって観察者に提示される。「映像提示装置」はディスプレイに「映像」を表示してもよいし、スクリーンなどに「映像」を投影してもよい。「映像提示装置」が「映像」を提示するための「映像」のデータ構造が提供されてもよい。
【００２０】
第６実施形態およびその変形例の「映像」は、上述のような動的な情報を含む動画であってもよいし、動的な情報を含まない静止画であってもよい。この「映像」を提示する映像提示システムは「映像提示装置」と「拡散部材」とを有する。この「映像提示装置」は、「第１空間周波数帯域」に属する「第１映像成分」と、「第１空間周波数帯域」と異なる「第２空間周波数帯域」に属する「第２映像成分」と、が重畳された領域を含む映像を提示する。「拡散部材」は、「映像」と観察者との間に介在させることが可能な媒質であり、光を拡散する性質を持つ。「第１空間周波数帯域」の例は前述の「高空間周波数帯域」であり、「第２空間周波数帯域」の例は前述の「低空間周波数帯域」である。「映像」と観察者との間に「拡散部材」を介在させ、観察者が「拡散部材」を通して「映像」を見ることもできるし、「映像」と観察者との間に「拡散部材」を介在させずに、観察者が直接「映像」を見ることもできる。観察者が「拡散部材」を通して「映像」を見たときに観察者が知覚する見え方は、観察者が直接「映像」を見たときに観察者が知覚する見え方と異なる。すなわち、「拡散部材」を通さずに「映像」を観察した観察者は、「映像」に含まれた「第１映像成分」および「第２映像成分」の両方を知覚する。一方、「拡散部材」を通して「映像」を観察した観察者は、これら両成分のうち空間周波数の低い方の成分を他方の成分よりも優位に知覚する。
【００２１】
［第１実施形態］
本形態では、互いに異なる第１領域から第Ｎ領域を含む映像Ｍを例示する。ただし、Ｎは２以上の正整数である。
【００２２】
＜構成＞
図１に例示するように、本形態の映像生成装置１は、帯域分離部１１、動的成分生成部１２−１〜１２−Ｎ、重み付け地図記憶部１３−１〜３−Ｎ、重畳部１４−１〜１４−Ｎ、および統合部１５を有する。
【００２３】
＜前処理＞
本形態では、空間領域の互い異なる領域Ｒ１，…，ＲＮを含む映像Ｍを生成する。その前処理として、各領域Ｒｉ（ただし、ｉ＝１，…，Ｎ）に対応する重み付け地図ＭＡＰｉが重み付け地図記憶部１３−ｉに格納される。重み付け地図ＭＡＰｉは、画素値を要素とする二次元配列である。重み付け地図ＭＡＰｉは、任意の領域Ｒｉで任意の空間周波数帯域の画像成分を動かすために利用するものであり、領域Ｒｉを表す二次元配列（画像）である。重み付け地図ＭＡＰｉの例は、領域Ｒｉに属する画素の画素値を１とし、領域Ｒｉに属さない画素の画素値を０とした二値からなる二次元配列である。あるいは、このような二値の二次元配列にガウシアンフィルタを適用して得られる二次元配列を重み付け地図ＭＡＰｉとしてもよい。その他、領域Ｒｉに属する画素の画素値が領域Ｒｉに属さない画素の画素値よりも大きく、画素値の範囲が０以上１以下に正規化された二次元配列を重み付け地図ＭＡＰｉとしてもよい。なお、領域Ｒ１，…，ＲＮは互いに異なる。望ましくは、領域Ｒ１，…，ＲＮのいずれも互いに重なり合わない。しかし、領域Ｒ１，…，ＲＮの少なくとも一部が互いに重なり合っている領域が存在してもよい。また、領域Ｒ１，…，ＲＮの少なくとも何れかは互いに隣接していることが望ましい。さらに、領域Ｒ１，…，ＲＮの少なくとも何れかが、領域Ｒ１，…，ＲＮの他の何れかに囲まれていることが望ましい。例えば、図２の例では、重み付け地図ＭＡＰ１に対応する領域Ｒ１（２つの星形領域外の背景領域）が重み付け地図ＭＡＰ２，ＭＡＰ３に対応する領域Ｒ２，Ｒ３（２つの星形領域）に隣接しており、領域Ｒ２，Ｒ３が領域Ｒ１に囲まれている。
【００２４】
＜処理＞
以下に本形態の処理を説明する。
≪入力画像Ｐの入力≫
映像生成装置１に入力画像Ｐが入力される。入力画像Ｐはカラー画像であってもよいし、グレースケール画像であってもよいし、白黒画像であってもよい。カラー画像の入力画像Ｐは、ＲＧＢの３チャネルそれぞれの二次元配列からなる集合である。これらの二次元配列は各チャネルの各画素値を要素とするものであり、それぞれのサイズは重み付け地図ＭＡＰｉのサイズと同じである。グレースケール画像または白黒画像の入力画像Ｐは、各画素値を要素とするものであり、そのサイズは重み付け地図ＭＡＰｉのサイズと同じである。
【００２５】
≪帯域分離部１１の処理≫
帯域分離部１１は入力画像Ｐを入力とし、入力画像ＰをＮ個の空間周波数帯域Ｂ１，…，ＢＮに分離し、各空間周波数帯域Ｂｉ（ただし、ｉ＝１，…，Ｎ）の画像成分Ｐｉを得て出力する。図２にＮ＝３の場合の例を示す。画像成分Ｐ１，…，ＰＮは空間領域における静止画像成分であり、画像成分Ｐｉのサイズは重み付け地図ＭＡＰｉのサイズと同じである。空間周波数帯域Ｂ１，…，ＢＮの絶対値は互いに異なる。空間周波数帯域Ｂ１，…，ＢＮの絶対値の中心空間周波数をそれぞれｂ１，…，ｂＮとすると、ｂ１＜ｂ２＜…＜ｂＮの関係を満たす。空間周波数帯域Ｂ１，…，ＢＮは互いに重複する空間周波数を含まないことが望ましいが、空間周波数帯域Ｂ１，…，ＢＮの少なくとも一部が互いに重複する空間周波数を含んでもよい。空間周波数帯域Ｂ１，…，ＢＮの帯域幅は、互いに同一であってもよいし、同一でなくてもよい。各空間周波数帯域Ｂｉ（ただし、ｉ＝１，…，Ｎ）の帯域幅の一例は２オクターブ程度の帯域幅である。すなわち、各空間周波数帯域Ｂｉの最も低い空間周波数ＬＢｉからその４倍の空間周波数４×ＬＢｉまでをＢｉの帯域幅とする。例えば、Ｎ＝３の場合、帯域分離部１１は２ｃｐｉ（cycles per image）以下の低空間周波数帯域をＢ１とし、２〜８ｃｐｉの中空間周波数帯域をＢ２とし、８〜３２ｃｐｉの高空間周波数帯域をＢ３とする。画像成分Ｐｊ（ただし、ｊ＝１，…，Ｎかつｊ≠ｉ）は、静的な映像成分ＰＳｊとして重畳部１４−ｉ（ただし、ｉ＝１，…，Ｎ）に送られる。さらに画像成分Ｐｉ（ただし、ｉ＝１，…，Ｎ）は、動的成分生成部１２−ｉに送られる。
【００２６】
≪動的成分生成部１２−ｉの処理≫
動的成分生成部１２−ｉ（ただし、ｉ＝１，…，Ｎ）のそれぞれは、入力された画像成分Ｐｉに動きを与え、それによってＫ個（ただし、Ｋは２以上の整数）のフレームの画像ＰＤｉ，ｋ（ただし、ｋ＝１，…，Ｋ）を含む動的な映像成分ＰＤｉ＝｛ＰＤｉ，１，…，ＰＤｉ，Ｋ｝を得て出力する。なお、画像ＰＤｉ，ｋは動的な映像成分ＰＤｉのｋ番目のフレームの画像である。画像ＰＤｉ，ｋは空間領域における画像である。複数のフレームｋ＝１，…，Ｋの画像ＰＤｉ，ｋを時間順（ｋ＝１からＫまでの順序）にならべて得られる動的な映像成分ＰＤｉは動きを表す（つまり、ＰＤｉは動画である）。各空間周波数帯域Ｂｉの複数のフレームｋ＝１，…，Ｋの画像ＰＤｉ，ｋの少なくとも一部は互いに異なる。動的成分生成部１２−ｉによって画像成分Ｐｉに与えられる動きは周期的な振動であることが望ましい。しかし、画像成分Ｐｉにその他の動きが与えられてもよい。また、動的成分生成部１２−１〜Ｎのそれぞれが互いに同一または近似する動きを画像成分Ｐｉに与えることが望ましい。すなわち、動的な映像成分ＰＤｉの動き方と動的な映像成分ＰＤｊの動き方とが同一であるか近似することが望ましい（ただし、ｉ，ｊ∈｛１，…，Ｎ｝かつｉ≠ｊ）。しかし、動的成分生成部１２−１〜Ｎの少なくとも一部が他と異なる動きを与えてもよい。画像成分Ｐｉに与える画素の移動量が大きすぎると、観察者が「映像」から知覚する空間周波数の違い（例えば、観察者と映像Ｍとの距離の違い）に基づいて受ける印象の違いが小さくなる場合がある。そのため、観察者と映像Ｍとの距離（観察距離）などを変えてみて、見かけの変化が生じない場合には移動量を小さくする工夫が必要である。
【００２７】
≪重畳部１４−ｉの処理≫
重畳部１４−ｉ（ただし、ｉ＝１，…，Ｎ）のそれぞれは、動的な映像成分ＰＤｉ＝｛ＰＤｉ，１，…，ＰＤｉ，Ｋ｝および静的な映像成分ＰＳｊ（ただし、ｊ＝１，…，Ｎかつｊ≠ｉ）を入力とし、重み付け地図記憶部１３−ｉから読み出した重み付け地図ＭＡＰｉをこれらに乗じた後に重畳して映像成分Ｍｉを得て出力する。すなわち、重畳部１４−ｉは、画像ＰＤｉ，ｋに重み付け地図ＭＡＰｉを乗じた画像と、ｉ＝１，…，Ｎかつｊ≠ｉについて静的な映像成分ＰＳｊに地図ＭＡＰｉを乗じた画像成分と、を重畳した画像Ｍｉ，ｋを映像成分Ｍｉのｋ番目のフレームの画像として出力する。画像Ｍｉ，ｋは重み付け地図ＭＡＰｉとサイズが等しい二次元配列である。
【数１】
2018190233.tif 000003
ただし、入力画像Ｐがグレースケール画像または白黒画像の場合、式（１）における乗算および加算は画素ごとに行われる。入力画像Ｐがカラー画像の場合、式（１）における乗算および加算はＲＧＢの３チャネルそれぞれの画素ごとに行われる。このように得られる画像Ｍｉ，ｋを１番目のフレームからＫ番目のフレームまで時間順にならべて得られる映像成分Ｍｉ（第ｉ映像成分）は、領域Ｒｉ（第ｉ領域）で動的な映像成分ＰＤｉ（第ｉの動的な映像成分）と静的な映像成分ＰＳｊ（第ｉの静的な映像成分）とを重畳（加算）した成分に相当する。なお、図２の重み付け地図ＭＡＰｉは、領域Ｒｉの画素値を１とし、それ以外の画素値を０としたものである。画素値１の領域が白で表現され、画素値０の領域が黒で表現されている。図２の映像成分Ｍ１は、２つの星形領域外の背景領域で、空間周波数帯域（低空間周波数帯域）Ｂ１の動的な映像成分ＰＤ１と、空間周波数帯域（中空間周波数帯域）Ｂ２の静的な映像成分ＰＳ２と、空間周波数帯域（高空間周波数帯域）Ｂ３の静的な映像成分ＰＳ３とを重畳したものである。映像成分Ｍ１では、空間周波数帯域Ｂ１の背景領域の成分のみが動きを持つ。図２の映像成分Ｍ２は、左側の星形領域で、空間周波数帯域Ｂ２の動的な映像成分ＰＤ２と、空間周波数帯域Ｂ１の静的な映像成分ＰＳ１と、空間周波数帯域Ｂ３の静的な映像成分ＰＳ３とを重畳したものである。映像成分Ｍ２では、空間周波数帯域Ｂ２の左側の星形領域の成分のみが動きを持つ。図２の映像成分Ｍ３は、右側の星形領域で、空間周波数帯域Ｂ３の動的な映像成分ＰＤ３と、空間周波数帯域Ｂ１の静的な映像成分ＰＳ１と、空間周波数帯域Ｂ２の静的な映像成分ＰＳ２とを重畳したものである。映像成分Ｍ３では、空間周波数帯域Ｂ３の右側の星形領域の成分のみが動きを持つ。
【００２８】
≪統合部１５の処理≫
統合部１５は、映像成分Ｍ１，…，ＭＮを入力とし、映像成分Ｍ１，…，ＭＮを重畳（加算）して映像Ｍを得て出力する。
Ｍ＝Ｍ１＋…＋ＭＮ    （２）
ただし、入力画像Ｐがグレースケール画像または白黒画像の場合、式（２）における加算は画素ごとに行われる。入力画像Ｐがカラー画像の場合、式（２）における加算はＲＧＢの３チャネルそれぞれの画素ごとに行われる。このように得られた映像Ｍの領域Ｒｉ（第ｉ領域）では、空間周波数帯域Ｂｉ（第ｉ空間周波数帯域）に属する動的な映像成分ＰＤｉ（第ｉの動的な映像成分）と、空間周波数帯域Ｂｊ（第ｉ空間周波数帯域と異なる空間周波数帯域）に属する静的な映像成分ＰＳｊ（第ｉの静的な映像成分）とが重畳されている。図２の映像Ｍでは、２つの星形領域外の背景領域で空間周波数帯域Ｂ１の成分が動き、左側の星形領域で空間周波数帯域Ｂ２の成分が動き、右側の星形領域で空間周波数帯域Ｂ３の成分が動く。
【００２９】
≪映像Ｍの提示≫
映像Ｍは映像提示装置１００に入力され、映像提示装置１００は映像Ｍを提示する。映像提示装置１００は映像Ｍをディスプレイに表示してもよいし、スクリーン等に投影してもよい。なお、映像Ｍを構成する各フレームの画像の提示時間は、映像Ｍが静止画の系列ではなく動画像として認識可能なように調整される。この範囲であればフレームレートは固定であっても可変であってもよい。映像Ｍを観察した観察者は、映像Ｍからの距離に応じ、映像Ｍから異なる動きの印象を受ける。また、観察者の視力の良し悪しに応じ、観察者が映像Ｍから受ける動きの印象も異なる。さらに、観察者は、観察者と映像Ｍとの間に介在する媒質の光の拡散度合に応じ、映像Ｍから異なる動きの印象を受ける。このように観察者は、映像Ｍから知覚可能な空間周波数によって異なる動きの印象を受ける。具体的には、映像Ｍ中の知覚可能な空間周波数帯域が低くなるにつれ、映像Ｍ中の一部分が動いて見えるが、映像Ｍ中の知覚可能な空間周波数帯域が高空間周波数を含むにつれ、映像Ｍ全体が動いて見えるとともに、その一部が止まって見える。
【００３０】
［第１実施形態の変形例１］
第１実施形態では、画像成分Ｐｊがそのまま静的な映像成分ＰＳｊ（ただし、ｊ＝１，…，Ｎかつｊ≠ｉ）として用いられた。すなわち、静的な映像成分ＰＳｊは静止成分であった。しかしながら、静的な映像成分ＰＳｊが動きを持ってもよい。この場合、映像生成装置１（図１）は、さらに静的成分生成部１７−ｉ（ただし、ｉ＝１，…，Ｎ）を有する。本変形例１では、画像成分Ｐｊ（ただし、ｊ＝１，…，Ｎかつｊ≠ｉ）が静的な映像成分ＰＳｊとして重畳部１４−ｉ（ただし、ｉ＝１，…，Ｎ）に送られることに代え、画像成分Ｐｊが静的成分生成部１７−ｊに送られる。静的成分生成部１７−ｊのそれぞれは、入力された画像成分Ｐｊに動きを与え、それによってＫ個（ただし、Ｋは２以上の整数）のフレームの画像ＰＳｊ，ｋ（ただし、ｋ＝１，…，Ｋ）を含む静的な映像成分ＰＳｊ＝｛ＰＳｊ，１，…，ＰＳｊ，Ｋ｝を得て出力する。画像ＰＳｉ，ｋは空間領域における画像である。複数のフレームｋ＝１，…，Ｋの画像ＰＳｊ，ｋを時間順（ｋ＝１からＫまでの順序）にならべて得られる静的な映像成分ＰＳｊは動きを表す（つまり、変形例１のＰＳｊは動画である）。各空間周波数帯域Ｂｊの複数のフレームｋ＝１，…，Ｋの画像ＰＳｊ，ｋの少なくとも一部は互いに異なる。ただし、各空間周波数帯域Ｂｊでの静的な映像成分ＰＳｊの動きは動的な映像成分ＰＤｊの動きよりも小さい。静的成分生成部１７−ｉによって画像成分Ｐｉに与えられる動きは周期的な振動であることが望ましい。しかし、画像成分Ｐｉにその他の動きが与えられてもよい。また、静的成分生成部１７−１〜Ｎのそれぞれが互いに同一または近似する動きを画像成分Ｐｉに与えることが望ましい。すなわち、静的な映像成分ＰＳｉの動き方と静的な映像成分ＰＳｊの動き方とが同一であるか近似することが望ましい（ただし、ｉ，ｊ∈｛１，…，Ｎ｝かつｉ≠ｊ）。しかし、静的成分生成部１７−１〜Ｎの少なくとも一部が他と異なる動きを与えてもよい。出力された静的な映像成分ＰＳｊ（ただし、ｊ＝１，…，Ｎかつｊ≠ｉ）は重畳部１４−ｉ（ただし、ｉ＝１，…，Ｎ）に送られる。その他は第１実施形態と同じである。
【００３１】
［第２実施形態］
第２実施形態では、Ｎ＝２として空間周波数を２つの空間周波数帯域Ｂ１，Ｂ２に分離し、互いに異なる２つの領域Ｒ１，Ｒ２で互いに異なる２つの空間周波数帯域Ｂ１，Ｂ２の成分が運動する映像Ｍを生成する。以下では既に説明した事項との相違点を中心に説明し、既に説明した事項と共通する部分については同じ参照番号を用いて説明を簡略化する場合がある。
【００３２】
＜構成＞
図１に例示するように、本形態の映像生成装置２は、帯域分離部１１、動的成分生成部１２−１，１２−２、重み付け地図記憶部１３−１，１３−２、重畳部１４−１，１４−２、および統合部１５を有する。
【００３３】
＜前処理＞
本形態では、空間領域の互い異なる２個の領域Ｒ１，Ｒ２を含む映像Ｍを生成する。その前処理として、各領域Ｒｉ（ただし、ｉ＝１，２）に対応する重み付け地図ＭＡＰｉが重み付け地図記憶部１３−ｉに格納される。図３の例では、背景領域である領域Ｒ１に対応する重み付け地図ＭＡＰ１が重み付け地図記憶部１３−１に格納され、星形領域である領域Ｒ２に対応する重み付け地図ＭＡＰ２が重み付け地図記憶部１３−２に格納される。図３に例示する重み付け地図ＭＡＰｉは、領域Ｒｉに属する画素の画素値を１とし、領域Ｒｉに属さない画素の画素値を０とした二値からなる二次元配列であり、ＭＡＰ１を反転させたもの（つまり、画素値が１であった画素の画素値を０にし、画素値が０であった画素の画素値を１にしたもの）がＭＡＰ２である。
【００３４】
＜処理＞
以下に本形態の処理を説明する。
≪入力画像Ｐの入力≫
映像生成装置２に入力画像Ｐが入力される。
【００３５】
≪帯域分離部１１の処理≫
帯域分離部１１は入力画像Ｐを入力とし、入力画像Ｐを２個の空間周波数帯域Ｂ１，Ｂ２に分離し、各空間周波数帯域Ｂｉ（ただし、ｉ＝１，２）の画像成分Ｐｉを得て出力する（図３）。本形態では、空間周波数帯域Ｂ１（第１空間周波数帯域）が高空間周波数帯域であり、空間周波数帯域Ｂ２（第２空間周波数帯域）が高空間周波数帯域と異なる低空間周波数帯域である。高空間周波数帯域である空間周波数帯域Ｂ１は、絶対値が閾値ＴＨ（カットオフ周波数）以上または閾値ＴＨを超える空間周波数からなる。低空間周波数帯域である空間周波数帯域Ｂ２は、絶対値が閾値ＴＨ未満もしくは閾値ＴＨの近傍未満、または絶対値が閾値ＴＨ以下もしくは閾値ＴＨの近傍以下の空間周波数からなる。帯域分離部１１は、例えば、入力画像Ｐにハイパスフィルタを適用して空間周波数帯域Ｂ１の画像成分Ｐ１を得、入力画像Ｐにローパスフィルタを適用して空間周波数帯域Ｂ２の画像成分Ｐ２を得て出力する。画像成分Ｐｊ（ただし、ｊ＝１，２かつｊ≠ｉ）は、静的な映像成分ＰＳｊとして重畳部１４−ｉ（ただし、ｉ＝１，２）に送られる。画像成分Ｐｉ（ただし、ｉ＝１，２）は、動的成分生成部１２−ｉに送られる。
【００３６】
≪動的成分生成部１２−ｉの処理≫
動的成分生成部１２−ｉ（ただし、ｉ＝１，２）のそれぞれは、入力された画像成分Ｐｉに動きを与え、それによってＫ個（ただし、Ｋは２以上の整数）のフレームの画像ＰＤｉ，ｋ（ただし、ｋ＝１，…，Ｋ）を含む動的な映像成分ＰＤｉ＝｛ＰＤｉ，１，…，ＰＤｉ，Ｋ｝を得て出力する（図３）。前述のように動的な映像成分ＰＤｉの動きは周期的な振動であることが望ましい。
【００３７】
≪重畳部１４−ｉの処理≫
重畳部１４−ｉ（ただし、ｉ＝１，２）のそれぞれは、動的な映像成分ＰＤｉ＝｛ＰＤｉ，１，…，ＰＤｉ，Ｋ｝および静的な映像成分ＰＳｊ（ただし、ｊ＝１，２かつｊ≠ｉ）を入力とし、重み付け地図記憶部１３−ｉから読み出した重み付け地図ＭＡＰｉをこれらに乗じた後に重畳して映像成分Ｍｉを得て出力する。映像成分Ｍｉ（第ｉ映像成分）は、領域Ｒｉ（第ｉ領域）で動的な映像成分ＰＤｉ（第ｉの動的な映像成分）と静的な映像成分ＰＳｊ（第ｉの静的な映像成分）とを重畳（加算）した成分に相当する。
【００３８】
≪統合部１５の処理≫
統合部１５は、映像成分Ｍ，Ｍ２を入力とし、映像成分Ｍ１，Ｍ２を重畳（加算）して映像Ｍ＝Ｍ１＋Ｍ２を得て出力する。図３の映像Ｍでは、星形領域外の背景領域（領域Ｒ１）で空間周波数帯域Ｂ１（高空間周波数帯域）の成分のみが動き、星形領域（領域Ｒ２）で空間周波数帯域Ｂ２（低空間周波数帯域）の成分のみが動く。
【００３９】
≪映像Ｍの提示≫
映像Ｍは映像提示装置１００に入力され、映像提示装置１００は映像Ｍを提示する。
図４Ａに例示するように、観察者１０１がこの映像Ｍを短い距離Ｄ１だけ離れたところから観察すると、星形領域（領域Ｒ２）の低空間周波数成分（空間周波数帯域Ｂ２）の動きと、背景領域（領域Ｒ１）の高空間周波数成分（空間周波数帯域Ｂ１）の動きがまとまった一つの動きに見える。その結果、動いていない星形領域の高空間周波数成分が浮き上がって見え、星形領域が止まっているように感じられる。一方、図４Ｂに例示するように、観察者１０１がこの映像Ｍを長い距離Ｄ２（ただし、Ｄ２＞Ｄ１）だけ離れたところから観察すると、背景領域で動いている高空間周波数成分が見えなくなる。結果的に星形領域の低空間周波数成分のみが移動して見え、星形領域が動いているように見える。
【００４０】
観察者１０１が、図５Ｂに例示するように映像Ｍを直接観察したときに、動いていない星形領域の高空間周波数成分が浮き上がって見え、星形領域が止まっているように感じられるとする。このような場合でも、図５Ｂに例示するように、観察者１０１が映像Ｍとの間に光の拡散度合の大きなすりガラスなどの媒質である拡散部材１０２を配置し、観察者１０１が拡散部材１０２越しに映像Ｍを観察すると、背景領域で動いている高空間周波数成分が見えなくなる。結果的に星形領域の低空間周波数成分のみが移動して見え、星形領域が動いているように見える。
【００４１】
視力の悪い観察者１０１が、視力矯正用の眼鏡をかけて映像Ｍを観察したときに、動いていない星形領域の高空間周波数成分が浮き上がって見え、星形領域が止まっているように感じられるとする。この場合に観察者１０１が眼鏡をはずして映像Ｍを観察すると、星形領域の低空間周波数成分のみが移動して見え、星形領域が動いているように見える。また、視力の良い観察者１０１が映像Ｍを観察したときには星形領域が止まっているように感じられるが、視力の悪い観察者１０１が映像Ｍを観察したときには星形領域が動いているように見える。
【００４２】
［第２実施形態の変形例１］
第１実施形態の変形例１と同様、静的な映像成分ＰＳｊが動きを持ってもよい。この場合、映像生成装置２（図１）は、さらに静的成分生成部１７−ｉ（ただし、ｉ＝１，２）を有する。静的成分生成部１７−ｉの処理内容は、第１実施形態の変形例１で説明した通りである。
【００４３】
［第３実施形態］
第２実施形態およびその変形例１において、映像Ｍから観察者１０１までの距離（観察距離）δを比較的小さな範囲δ１≦δ≦δ２（ただし、０＜δ１＜δ２）でしか変化させることができない場合には閾値ＴＨを高くし、逆に観察距離δを比較的大きな範囲δ１≦δ≦δ３（ただし、０＜δ１＜δ２＜δ３）で変化させることができる場合には閾値ＴＨを低くしてもよい。閾値ＴＨを高くするほど、映像Ｍから観察者までの距離を大きく変化させることなく、領域Ｒ２が静止しているような印象を与えたり、動いているような印象を与えたりできる。閾値ＴＨを低くするほど、観察距離δを大きく変化させないと領域Ｒ２の動きの印象を変化させることができないが、その反面、映像Ｍが近くで観察されたときに領域Ｒ２が静止しているような印象を明確に与えることができる。
【００４４】
図１に例示するように、本形態の映像生成装置３は、帯域分離部１１、動的成分生成部１２−１，１２−２、重み付け地図記憶部１３−１，１３−２、重畳部１４−１，１４−２、統合部１５、および閾値設定部３６を有する。第３実施形態の第２実施形態およびその変形例１からの相違点は、閾値設定部３６が映像Ｍから観察者までの距離の範囲を表す情報を入力とし、距離の範囲に応じた閾値ＴＨを設定して出力する点である。ただし、映像Ｍから観察者までの距離の最大値がδ２（第１値）であるときの閾値ＴＨは、映像Ｍから観察者までの距離の最大値がδ３（第２値）であるときの閾値ＴＨよりも大きい（δ２＜δ３）。例えば、映像Ｍから観察者までの距離の最大値が大きいほど閾値ＴＨが小さくてもよいし、映像Ｍから観察者までの距離の最大値に対して閾値ＴＨが広義単調減少する関係（増加しない関係）にあってもよい。あるいは、映像Ｍから観察者までの距離の最大値が特定の範囲にあるときにだけ、映像Ｍから観察者までの距離の最大値がδ２であるときの閾値ＴＨは、映像Ｍから観察者までの距離の最大値がδ３であるときの閾値ＴＨよりも大きくてもよい。
【００４５】
設定された閾値ＴＨは帯域分離部１１に入力され、帯域分離部１１はこの閾値ＴＨに基づいて、第２実施形態の≪帯域分離部１１の処理≫で説明したように、入力画像Ｐを２個の空間周波数帯域Ｂ１，Ｂ２に分離し、各空間周波数帯域Ｂｉ（ただし、ｉ＝１，２）の画像成分Ｐｉを得て出力する。その他は第２実施形態およびその変形例１で説明した通りである。
【００４６】
［第４実施形態］
観察者の視力が低い場合、観察距離どれだけ小さくしても、高空間周波数帯域の動きが明確に知覚できない可能性がある。そのため、観察者の視力が低い場合に、閾値ＴＨを低くし、観察者がすべての領域で与えられた動きを知覚できるようにしてもよい。
【００４７】
図１に例示するように、本形態の映像生成装置４は、帯域分離部１１、動的成分生成部１２−１，１２−２、重み付け地図記憶部１３−１，１３−２、重畳部１４−１，１４−２、統合部１５、および閾値設定部４６を有する。第４実施形態の第２実施形態およびその変形例１からの相違点は、閾値設定部４６が観察者の視力を表す指標を入力とし、視力に応じた閾値ＴＨを設定して出力する点である。ただし、視力を表す指標ＶＡがＶＡ１（第１値）であるときの閾値ＴＨは、視力を表す指標ＶＡがＶＡ２（第２値）であるときの閾値ＴＨよりも小さく、指標ＶＡがＶＡ１であるときの視力は、指標ＶＡがＶＡ２であるときの視力よりも悪い。例えば、観察者の視力が悪いほど閾値ＴＨを小さくしてもよいし、観察者の視力に対して閾値ＴＨが広義単調増加する関係（減少しない関係）にあってもよい。あるいは、観察者の視力が特定の範囲にあるときにだけ、視力を表す指標ＶＡがＶＡ１であるときの閾値ＴＨが、視力を表す指標ＶＡがＶＡ２であるときの閾値ＴＨよりも小さくてもよい。
【００４８】
設定された閾値ＴＨは帯域分離部１１に入力され、帯域分離部１１はこの閾値ＴＨに基づいて、第２実施形態の≪帯域分離部１１の処理≫で説明したように、入力画像Ｐを２個の空間周波数帯域Ｂ１，Ｂ２に分離し、各空間周波数帯域Ｂｉ（ただし、ｉ＝１，２）の画像成分Ｐｉを得て出力する。その他は第２実施形態およびその変形例１で説明した通りである。
【００４９】
［第５実施形態］
観察者がすりガラスなど光を拡散する媒質を通して映像Ｍを観察する場合（図５Ａおよび図５Ｂ）、媒質の光の拡散の度合いが大きいほど、カットオフ周波数を低く設定してもよい。
【００５０】
図１に例示するように、本形態の映像生成装置５は、帯域分離部１１、動的成分生成部１２−１，１２−２、重み付け地図記憶部１３−１，１３−２、重畳部１４−１，１４−２、統合部１５、および閾値設定部５６を有する。第５実施形態の第２実施形態およびその変形例１からの相違点は、閾値設定部５６が映像Ｍと観察者との間に介在する媒質の光の拡散度合を表す指標を入力とし、その拡散度合に応じた閾値ＴＨを設定して出力する点である。ただし、媒質の光の拡散度合を表す指標ＨがＨ１（第１値）であるときの閾値は、媒質の光の拡散度合を表す指標がＨ２（第２値）であるときの閾値よりも小さく、指標ＨがＨ１であるときの光の拡散度合は、指標ＨがＨ２であるときの光の拡散度合よりも大きい。例えば、媒質の光の拡散度合が大きいほど閾値ＴＨを小さくしてもよいし、媒質の光の拡散度合に対して閾値ＴＨが広義単調減少する関係にあってもよい。あるいは、媒質の光の拡散度合が特定の範囲にあるときにだけ、媒質の光の拡散度合を表す指標ＨがＨ１であるときの閾値が、媒質の光の拡散度合を表す指標がＨ２であるときの閾値よりも小さくてもよい。なお、媒質の光の拡散度合を表す指標Ｈの例は曇価（ヘイズ：ＨＡＺＥ）である。
【００５１】
設定された閾値ＴＨは帯域分離部１１に入力され、帯域分離部１１はこの閾値ＴＨに基づいて、第２実施形態の≪帯域分離部１１の処理≫で説明したように、入力画像Ｐを２個の空間周波数帯域Ｂ１，Ｂ２に分離し、各空間周波数帯域Ｂｉ（ただし、ｉ＝１，２）の画像成分Ｐｉを得て出力する。その他は第２実施形態およびその変形例１で説明した通りである。
【００５２】
［第６実施形態］
図６に例示するように、第１〜５実施形態またはその変形例で得られた映像Ｍを入力とし、映像Ｍを提示する映像提示装置１００、および、映像Ｍと観察者１０１との間に配置される拡散部材１０２とを有する映像提示システムが構成されてもよい。ただし、拡散部材１０２は映像Ｍと観察者１０１との間に介在させることが可能な媒質であり、光を拡散する性質を持つ。拡散部材１０２の例は、すりガラスである。前述したように、観察者１０１が拡散部材１０２を通して映像Ｍを見たときに観察者１０１が知覚する見え方は、観察者１０１が直接映像Ｍを見たときに観察者１０１が知覚する見え方と異なる。
【００５３】
なお、第１〜５実施形態またはその変形例で得られた映像Ｍは動画であり、映像Ｍの領域Ｒｉ（第ｉ領域）では、空間周波数帯域Ｂｉ（第ｉ空間周波数帯域）に属する動的な映像成分ＰＤｉ（第ｉの動的な映像成分）と、空間周波数帯域Ｂｊ（第ｉ空間周波数帯域と異なる空間周波数帯域）に属する静的な映像成分ＰＳｊ（第ｉの静的な映像成分）とが重畳されていた（ただし、ｉ，ｊ∈｛１，…，Ｎ｝かつｊ≠ｉ）。しかし、第６実施形態の映像提示システムの映像提示装置１００から提示される映像Ｍは、空間周波数帯域Ｂｉ（第１空間周波数帯域）に属する第１映像成分と、空間周波数帯域Ｂｊ（第ｉ空間周波数帯域と異なる第２空間周波数帯域）に属する第２映像成分と、が重畳された領域を含む映像であれば、どのようなものであってもよい。例えば、映像Ｍが動画ではなく、静止画であってもよい。映像Ｍが静止画であったとしても、観察者１０１が拡散部材１０２を通して映像Ｍを見たときに観察者１０１が知覚する見え方は、観察者１０１が直接映像Ｍを見たときに観察者１０１が知覚する見え方と異なる。このように観察者１０１が拡散部材１０２を通して映像Ｍを見るか否かによって、異なる印象を与える技術はこれまで知られていない。さらに、映像Ｍから拡散部材１０２までの距離を離すと、より低い空間周波数成分のみが観察者１０１に提供される。また、より高い拡散度を持つ拡散部材１０２を設置することで、より低い空間周波数成分のみが観察者１０１に提供される。これらによって異なる印象を与える技術も知られていない。
【００５４】
［その他の変形例等］
本発明は上述の実施の形態に限定されるものではない。例えば、重畳部１４−ｉ（ただし、ｉ＝１，…，Ｎ）の少なくとも何れかが、さらに付加映像を重畳して映像成分Ｍｉを得てもよい。また統合部１５がさらに付加映像を重畳して映像Ｍを得てもよい。
【００５５】
上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能であることはいうまでもない。
【００５６】
上記の各装置は、例えば、ＣＰＵ（central processing unit）等のプロセッサ（ハードウェア・プロセッサ）およびＲＡＭ（random-access memory）・ＲＯＭ（read-only memory）等のメモリ等を備える汎用または専用のコンピュータが所定のプログラムを実行することで構成される。このコンピュータは１個のプロセッサやメモリを備えていてもよいし、複数個のプロセッサやメモリを備えていてもよい。このプログラムはコンピュータにインストールされてもよいし、予めＲＯＭ等に記録されていてもよい。また、ＣＰＵのようにプログラムが読み込まれることで機能構成を実現する電子回路（circuitry）ではなく、プログラムを用いることなく処理機能を実現する電子回路を用いて一部またはすべての処理部が構成されてもよい。１個の装置を構成する電子回路が複数のＣＰＵを含んでいてもよい。
【００５７】
上述の構成をコンピュータによって実現する場合、各装置が有すべき機能の処理内容はプログラムによって記述される。このプログラムをコンピュータで実行することにより、上記処理機能がコンピュータ上で実現される。この処理内容を記述したプログラムは、コンピュータで読み取り可能な記録媒体に記録しておくことができる。コンピュータで読み取り可能な記録媒体の例は、非一時的な（non-transitory）記録媒体である。このような記録媒体の例は、磁気記録装置、光ディスク、光磁気記録媒体、半導体メモリ等である。
【００５８】
このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００５９】
このようなプログラムを実行するコンピュータは、例えば、まず、可搬型記録媒体に記録されたプログラムもしくはサーバコンピュータから転送されたプログラムを、一旦、自己の記憶装置に格納する。処理の実行時、このコンピュータは、自己の記憶装置に格納されたプログラムを読み取り、読み取ったプログラムに従った処理を実行する。このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。
【００６０】
コンピュータ上で所定のプログラムを実行させて本装置の処理機能が実現されるのではなく、これらの処理機能の少なくとも一部がハードウェアで実現されてもよい。
【符号の説明】
【００６１】
１〜６  映像生成装置
１００  映像提示装置
【図１】
2018190233.tif 000004
【図２】
2018190233.tif 000005
【図３】
2018190233.tif 000006
【図４】
2018190233.tif 000007
【図５】
2018190233.tif 000008
【図６】
2018190233.tif 000009